(57)【要約】  自己診断機能を実現するエレベーター制御装置であって、エレベーター遠隔監視サーバから受信した指令を制御装置に転送することで、自己診断機能を実施させる第１避難誘導制御部を備え、第１避難誘導制御部は、自己診断機能を実施するための診断走行指令が指令としてエレベーター遠隔監視サーバから送信されてきた場合には、診断走行指令を制御装置に転送することで自己診断機能を実施させ、制御装置から受信した自己診断機能の実施結果をエレベーター状態情報としてエレベーター遠隔監視サーバに送信する。
2017145319.tif 000002
【特許請求の範囲】
【請求項１】
災害発生時において、エレベーターかごを実際に走行させることで走行可能か否かを判断する自己診断機能を実現するために、エレベーターの運行制御を行う制御装置に接続された情報収集装置を備えるエレベーター制御装置であって、
前記情報収集装置は、
ネットワークに接続される第１送受信部と、
前記第１送受信部にエレベーター状態情報を送信させるとともに、前記第１送受信部が受信した指令を前記制御装置に転送することで、前記自己診断機能を実施させる第１避難誘導制御部と
を備え、
前記第１避難誘導制御部は、
前記第１送受信部が前記指令として前記自己診断機能を実施するための診断走行指令を受信した場合には、前記診断走行指令を前記制御装置に転送することで前記自己診断機能を実施させ、
前記制御装置から受信した前記自己診断機能の実施結果を前記エレベーター状態情報として前記第１送受信部に送信させる
エレベーター制御装置。
【請求項２】
前記第１避難誘導制御部は、前記第１送受信部が災害発生後に管制運転が完了した情報を前記エレベーター状態情報として送信した後に、前記診断走行指令を受信した場合には、前記診断走行指令を前記制御装置に転送する
請求項１に記載のエレベーター制御装置。
【請求項３】
前記情報収集装置は、前記自己診断機能に加えて、自己診断結果に基づいて救出階にいる避難者を避難階まで搬送することでエレベーターを利用した避難誘導を行う避難走行機能を実現するために前記制御装置に接続されており、
前記第１避難誘導制御部は、
前記第１送受信部が前記指令として前記避難走行機能を実施するための避難走行指令を受信した場合には、前記避難走行指令を前記制御装置に転送することで前記避難走行機能を実施させる
請求項１または２に記載のエレベーター制御装置。
【請求項４】
前記第１避難誘導制御部は、前記避難走行指令を前記制御装置に転送することで前記避難走行機能を実施させるとともに、避難走行中に自己診断機能を実施させ、
前記制御装置から受信した前記自己診断機能の実施結果を前記エレベーター状態情報として前記第１送受信部に送信させる
請求項３に記載のエレベーター制御装置。
【請求項５】
前記避難走行指令は、前記救出階と前記避難階の情報を含む請求項３または４に記載のエレベーター制御装置。
【請求項６】
前記エレベーター制御装置は、前記エレベーターが設置された環境における災害発生状況に関する情報を提供する情報提供装置をさらに備え、
第１避難誘導制御部は、前記情報提供装置から提供された情報を、前記エレベーター状態情報として前記第１送受信部に送信させる
請求項３から５のいずれか１項に記載のエレベーター制御装置。
【請求項７】
エレベーター制御装置とネットワークを介して接続されており、災害発生時において、エレベーターかごを実際に走行させることで走行可能か否かを判断する自己診断機能と、自己診断結果に基づいて救出階にいる避難者を避難階まで搬送することでエレベーターを利用した避難誘導を行う避難走行機能とを実現するために、前記エレベーター制御装置を遠隔制御するエレベーター遠隔監視サーバであって、
前記エレベーター遠隔監視サーバは、
前記エレベーター制御装置とネットワークを介して接続され、相互通信を行う第２送受信部と、
前記第２送受信部を介して、前記エレベーター制御装置からエレベーター状態情報を受信するとともに、受信結果に応じて前記自己診断機能および前記避難走行機能を実施させる指令を生成し、前記エレベーター制御装置に対して前記指令を送信する第２避難誘導制御部と
を備えるエレベーター遠隔監視サーバ。
【請求項８】
前記避難走行機能を実施させる指令は、前記第２避難誘導制御部への入力操作により生成される
請求項７に記載のエレベーター遠隔監視サーバ。
【請求項９】
前記第２避難誘導制御部は、前記第２送受信部が災害発生後に管制運転が完了した情報を前記エレベーター状態情報として前記エレベーター制御装置から受信した後に、前記第２送受信部に前記自己診断機能を実施させる指令を送信させる
請求項７または８に記載のエレベーター遠隔監視サーバ。
【請求項１０】
災害発生時において、エレベーターかごを実際に走行させることで走行可能か否かを判断する自己診断機能を実現するために、ネットワークを介して接続されたエレベーター制御装置とエレベーター遠隔監視サーバとを備えて構成される避難支援システムであって、
前記エレベーター遠隔監視サーバは、災害発生後に、前記自己診断機能を実施するための診断走行指令を前記エレベーター制御装置に送信し、
前記エレベーター制御装置は、前記診断走行指令を受信した場合には、前記自己診断機能を実施し、前記自己診断機能の実施結果をエレベーター状態情報として前記エレベーター遠隔監視サーバに返信する
避難支援システム。
【請求項１１】
前記エレベーター遠隔監視サーバは、管制運転が完了した情報を受信した後に、前記診断走行指令を生成する
請求項１０に記載の避難支援システム。
【請求項１２】
前記エレベーター遠隔監視サーバは、前記エレベーター制御装置から受信した前記自己診断機能の実施結果に基づいて、救出階にいる避難者を避難階まで搬送することでエレベーターを利用した避難誘導を行う避難走行機能を実現するために、前記救出階と前記避難階の情報を含む避難走行指令を前記エレベーター制御装置に送信する
請求項１０または１１に記載の避難支援システム。
【請求項１３】
前記避難走行機能を実施させる指令は、前記エレベーター遠隔監視サーバへの入力操作により生成される
請求項１２に記載の避難支援システム。
【請求項１４】
前記エレベーター制御装置は、前記避難走行指令を受信した場合には、前記避難走行機能を実行する
請求項１２または１３に記載の避難支援システム。
【請求項１５】
前記エレベーター制御装置は、前記避難走行指令に基づいて前記避難走行機能を実行中に、前記エレベーター遠隔監視サーバと前記エレベーター制御装置との通信が途絶えてしまった場合には、前記避難走行機能の実行を一時停止状態とする
請求項１２から１４のいずれか１項に記載の避難支援システム。
【請求項１６】
前記エレベーター制御装置は、前記一時停止状態の後に、前記エレベーター遠隔監視サーバと前記エレベーター制御装置との通信が復帰した場合には、前記避難走行機能の実行を再開する
請求項１５に記載の避難支援システム。
【請求項１７】
災害発生時において、エレベーターかごを実際に走行させることで走行可能か否かを判断する自己診断機能と、自己診断結果に基づいて救出階にいる避難者を避難階まで搬送することでエレベーターを利用した避難誘導を行う避難走行機能とを実現するために、ネットワークを介して接続されたエレベーター制御装置とエレベーター遠隔監視サーバとで実行される、エレベーターを活用した避難支援方法であって、
前記エレベーター制御装置において、災害発生後に管制運転が完了した情報をエレベーター状態情報として前記エレベーター遠隔監視サーバに送信する第１ステップと、
前記エレベーター遠隔監視サーバにおいて、前記第１ステップによる前記エレベーター状態情報を前記エレベーター制御装置から受信した場合には、入力操作に基づいて生成される、前記自己診断機能を実施するための診断走行指令を前記エレベーター制御装置に対して返信する第２ステップと、
前記エレベーター制御装置において、前記第２ステップによる前記診断走行指令を前記エレベーター遠隔監視サーバから受信した場合には、エレベーターかごを実際に走行させることで走行可能か否かを判断するための自己診断走行を実施し、自己診断結果を前記エレベーター遠隔監視サーバに返送する第３ステップと、
前記エレベーター遠隔監視サーバにおいて、前記第３ステップによる前記自己診断結果を受信した場合には、前記避難走行機能を実施するために入力操作に基づいて生成される避難走行指令を前記エレベーター制御装置に対して返信する第４ステップと、
前記エレベーター制御装置において、前記第４ステップによる避難走行指令を前記エレベーター遠隔監視サーバから受信した場合には、前記救出階と前記避難階との間でエレベーターかごを走行させて避難誘導を行うことで、前記避難走行機能を実施する第５ステップと
を有するエレベーターを活用した避難支援方法。
【発明の詳細な説明】
【技術分野】
【０００１】
本発明は、災害発生時に管制運転を行った後に休止するエレベーターを、遠隔監視・制御に基づいて避難手段として活用するエレベーター制御装置、エレベーター遠隔監視サーバ、避難支援システム、およびエレベーターを活用した避難支援方法に関する。
【背景技術】
【０００２】
火災や地震などの災害が発生すると、エレベーターは、直ちに管制運転となり、最寄階で停止後、避難階へ走行し、以後、運転が停止される。従って、運転停止後は、エレベーターを避難誘導手段として用いることができなかった。【０００３】
このような点に着目し、避難誘導の際にエレベーターを活用する従来技術がある（例えば、特許文献１参照）。この特許文献１は、火災時に避難運転の可否判断を行い、避難運転を実施する避難運転モードの開始判断を行なっている。【０００４】
より具体的には、特許文献１は、避難運転を実施してよいかの判断を、火災発生箇所の情報、およびビル設備の状況（スプリンクラー稼働情報）を元に実施している。さらに、特許文献１は、避難運転を実施するとなった際には、あらかじめ許可された人物をエレベーターで避難させている。この結果、火災や避難状況に応じてエレベーターの運行を行なうとともに、各階においてエレベーターでの避難要求を行なうことを可能としている。
【先行技術文献】
【特許文献】
【０００５】
【特許文献１】特許４３９１２２６号公報
【発明の概要】
【発明が解決しようとする課題】
【０００６】
しかしながら、従来技術には、以下のような課題がある。
特許文献１のような従来技術は、火災発生箇所の情報、およびビル設備の状況を、別のシステムから入手する必要があった。また、このような従来技術は、火災が発生した状況において、エレベーターが実際に走行可能か否かの確認を取っていない。従って、避難誘導にエレベーターを活用しようとしても、エレベーターが実際には動作できないおそれがある。【０００７】
さらに、このような従来技術は、あらかじめ許可された人物しか火災発生時の避難手段としてエレベーターを活用することができない点で、運行効率が上がるとは言い難い。また、避難誘導に活用しているエレベーターの動作中に、万一閉じ込めが発生した場合には、通報する手段がないといった問題もある。【０００８】
特に、マンションやオフィスビルなど、多くの人が在館している状況が考えられる場合には、エレベーターを避難誘導に活用できない、あるいは閉じ込めが発生するなどの問題により、在館者全員の避難完了までに長時間を要してしまうという問題が考えられる。【０００９】
本発明は、前記のような課題を解決するためになされたものであり、災害発生時の避難誘導にエレベーターを活用し、より迅速に避難を完了させることを可能とするエレベーター制御装置、エレベーター遠隔監視サーバ、避難支援システム、およびエレベーターを活用した避難支援方法を得ることを目的とする。
【課題を解決するための手段】
【００１０】
本発明に係るエレベーター制御装置は、災害発生時において、エレベーターかごを実際に走行させることで走行可能か否かを判断する自己診断機能を実現するために、エレベーターの運行制御を行う制御装置に接続された情報収集装置を備えるエレベーター制御装置であって、情報収集装置は、ネットワークに接続される第１送受信部と、第１送受信部にエレベーター状態情報を送信させるとともに、第１送受信部が受信した指令を制御装置に転送することで、自己診断機能を実施させる第１避難誘導制御部とを備え、第１避難誘導制御部は、第１送受信部が指令として自己診断機能を実施するための診断走行指令を受信した場合には、診断走行指令を制御装置に転送することで自己診断機能を実施させ、制御装置から受信した自己診断機能の実施結果をエレベーター状態情報として第１送受信部に送信させるものである。【００１１】
また、本発明に係るエレベーター遠隔監視サーバは、エレベーター制御装置とネットワークを介して接続されており、災害発生時において、エレベーターかごを実際に走行させることで走行可能か否かを判断する自己診断機能と、自己診断結果に基づいて救出階にいる避難者を避難階まで搬送することでエレベーターを利用した避難誘導を行う避難走行機能とを実現するために、エレベーター制御装置を遠隔制御するエレベーター遠隔監視サーバであって、エレベーター遠隔監視サーバは、エレベーター制御装置とネットワークを介して接続され、相互通信を行う第２送受信部と、第２送受信部を介して、エレベーター制御装置からエレベーター状態情報を受信するとともに、受信結果に応じて自己診断機能および避難走行機能を実施させる指令を生成し、エレベーター制御装置に対して指令を送信する第２避難誘導制御部とを備えるものである。【００１２】
また、本発明に係る避難支援システムは、災害発生時において、エレベーターかごを実際に走行させることで走行可能か否かを判断する自己診断機能を実現するために、ネットワークを介して接続されたエレベーター制御装置とエレベーター遠隔監視サーバとを備えて構成される避難支援システムであって、エレベーター遠隔監視サーバは、災害発生後に、自己診断機能を実施するための診断走行指令をエレベーター制御装置に送信し、エレベーター制御装置は、診断走行指令を受信した場合には、自己診断機能を実施し、自己診断機能の実施結果をエレベーター状態情報としてエレベーター遠隔監視サーバに返信するものである。【００１３】
また、本発明に係るエレベーターを活用した避難支援方法は、災害発生時において、エレベーターかごを実際に走行させることで走行可能か否かを判断する自己診断機能と、自己診断結果に基づいて救出階にいる避難者を避難階まで搬送することでエレベーターを利用した避難誘導を行う避難走行機能とを実現するために、ネットワークを介して接続されたエレベーター制御装置とエレベーター遠隔監視サーバとで実行される、エレベーターを活用した避難支援方法であって、エレベーター制御装置において、災害発生後に管制運転が完了した情報をエレベーター状態情報としてエレベーター遠隔監視サーバに送信する第１ステップと、エレベーター遠隔監視サーバにおいて、第１ステップによるエレベーター状態情報をエレベーター制御装置から受信した場合には、入力操作に基づいて生成される、自己診断機能を実施するための診断走行指令をエレベーター制御装置に対して返信する第２ステップと、エレベーター制御装置において、第２ステップによる診断走行指令をエレベーター遠隔監視サーバから受信した場合には、エレベーターかごを実際に走行させることで走行可能か否かを判断するための自己診断走行を実施し、自己診断結果をエレベーター遠隔監視サーバに返送する第３ステップと、エレベーター遠隔監視サーバにおいて、第３ステップによる自己診断結果を受信した場合には、避難走行機能を実施するために入力操作に基づいて生成される避難走行指令をエレベーター制御装置に対して返信する第４ステップと、エレベーター制御装置において、第４ステップによる避難走行指令をエレベーター遠隔監視サーバから受信した場合には、救出階と避難階との間でエレベーターかごを走行させて避難誘導を行うことで、避難走行機能を実施する第５ステップとを有するものである。
【発明の効果】
【００１４】
本発明によれば、災害発生時において、エレベーターが走行可能であることを確認した上で、遠隔監視に基づく制御により、エレベーターを避難誘導に活用できる構成を備えている。この結果、災害発生時の避難誘導にエレベーターを活用し、より迅速に避難を完了させることを可能とするエレベーター制御装置、エレベーター遠隔監視サーバ、避難支援システム、およびエレベーターを活用した避難支援方法を得ることができる。
【図面の簡単な説明】
【００１５】
【図１】本発明の実施の形態１におけるエレベーター制御装置およびエレベーター遠隔監視サーバを含むエレベーター遠隔監視システムの全体構成図である。
【図２】本発明の実施の形態１におけるエレベーター遠隔監視システムにおいて実行される一連の避難支援処理に関するフローチャートである。
【図３】本発明の実施の形態１におけるエレベーター制御装置で実行される一連の自己診断処理に関するフローチャートである。
【図４】本発明の実施の形態１における情報収集装置におけるハードウェア構成を示す図である。
【図５】本発明の実施の形態１におけるエレベーター遠隔監視サーバにおけるハードウェア構成を示す図である。
【発明を実施するための形態】
【００１６】
以下、本発明のエレベーター制御装置、エレベーター遠隔監視サーバ、避難支援システム、およびエレベーターを活用した避難支援方法の好適な実施の形態につき、図面を用いて説明する。
【００１７】
実施の形態１．
図１は、本発明の実施の形態１におけるエレベーター制御装置およびエレベーター遠隔監視サーバを含むエレベーター遠隔監視システムの全体構成図である。災害発生時の避難対象となる建物内には、エレベーターが設けられている。制御装置１０は、かご２０の運行制御を行うコントローラであり、ある乗場３０で乗車した利用者を、別の乗場３０へと搬送する。なお、実際には、複数の階床のそれぞれに対応して複数の乗場があるが、図１においては、説明を簡略化するために、１つの乗場だけを詳細に示している。
【００１８】
本実施の形態１におけるエレベーター遠隔監視システムは、制御装置１０および情報収集装置４０を含むエレベーター制御装置と、ネットワーク２００を介して情報収集装置４０と相互通信可能なエレベーター遠隔監視サーバ１００と、を主要な構成要素として備えている。
【００１９】
また、本実施の形態１におけるエレベーター遠隔監視システムは、情報収集装置４０に接続された防災センター６０、制御装置１０に接続された走行診断装置５０、およびネットワーク２００に接続された消防情報送信装置１１０を、オプションの構成要素として備えている。なお、これらのオプション構成は、エレベーターが設置された環境における災害発生状況に関する情報を提供する情報提供装置に相当する。
【００２０】
具体的には、防災センター６０は、建物内に設置された設備であり、建物内の火災発生状況に関する情報を提供できる。また、走行診断装置５０は、昇降路内の走行診断に関する情報を提供できる。さらに、消防情報送信装置１１０は、建物外に設置された設備であり、対象となる建物内の火災発生状況に関する情報を外部からネットワーク２００経由で提供できる。
【００２１】
また、図１においては、通常の建物において、各階床に設置されている煙感知器７０を図示している。
【００２２】
エレベーター遠隔監視サーバ１００は、建物から離れた遠隔地に設置された情報センター内に設けられている。また、情報センター内には、災害発生時の避難誘導にエレベーターを活用するための運用トレーニングを受けたオペレータが常駐している。
【００２３】
ここで、エレベーター遠隔監視サーバ１００は、第２送受信部１０１、および第２避難誘導制御部１０２を含んで構成されている。詳細は後述するが、第２送受信部１０１は、情報収集装置４０とネットワーク２００を介して相互通信を行う機能を有し、第２避難誘導制御部１０２は、第２送受信部１０１を介して、情報収集装置４０からエレベーター状態情報を受信するとともに、受信結果に応じたオペレータの操作入力により、自己診断機能および避難走行機能を実施させる指令を生成し、情報収集装置４０に対してそれらの指令を送信する機能を有する。なお、以下の説明では、第２送受信部１０１および第２避難誘導制御部１０２のそれぞれの機能を区別せず、両機能をエレベーター遠隔監視サーバ１００が実行する形で説明する。
【００２４】
そして、オペレータは、エレベーター遠隔監視サーバ１００を介して建物内の情報収集装置４０から収集した情報に基づいて、エレベーター遠隔監視サーバ１００を操作することで、情報収集装置４０に対して、災害発生時の避難誘導にエレベーターを活用するための指令を送信することができる。
【００２５】
具体的な指令としては、無人の状態で実際にかご２０を走行させて、走行可否を判断するための診断走行指令と、救助階から避難階に向けて避難者を乗車させて避難誘導を行う避難走行指令とがある。
【００２６】
そして、診断走行指令には、往復走行による診断走行を行うための階床に関する情報を含めることができる。また、避難走行指令には、避難誘導を行う際に、避難者を乗車させるための救出階と、建物ごとにあらかじめ定められている避難階に関する情報が含まれている。
【００２７】
一方、エレベーター遠隔監視サーバ１００から受信した診断走行指令および避難走行指令に基づいて、情報収集装置４０および制御装置１０は、以下のような制御処理機能を実行できる。
【００２８】
（機能１）自己診断機能
情報収集装置４０は、第１送受信部４１、および第１避難誘導制御部４２を含んで構成されている。詳細は後述するが、第１送受信部は、エレベーター遠隔監視サーバ１００とネットワーク２００を介して相互通信を行う機能を有し、第１避難誘導制御部４２は、第１送受信部４１を介して、エレベーター遠隔監視サーバ１００に対してエレベーター状態情報を送信するとともに、エレベーター遠隔監視サーバ１００から受信した指令を制御装置１０に転送することで、自己診断機能および避難走行機能を実施させる機能を有する。なお、以下の説明では、第１送受信部４１および第１避難誘導制御部４２のそれぞれの機能を区別せず、両機能を情報収集装置４０が実行する形で説明する。
【００２９】
災害発生時において、情報収集装置４０は、制御装置１０によりエレベーターの管制運転が行われた後に、エレベーター遠隔監視サーバ１００から診断走行指令を受信した場合には、かご２０を実際に昇降路内で走行させることで、走行可能か否かを診断するために、診断走行指令を制御装置１０に対して転送する。
【００３０】
診断走行指令の転送を受けた制御装置１０は、戸閉状態のかご２０を、例えば、建物の最下階から最上階の間で実際に往復走行させることで、自己診断走行を実施する。なお、制御装置１０は、エレベーター遠隔監視サーバ１００から送信される診断走行指令に含まれている階床間を往復走行させるなど、その他の経路で、自己診断走行を実施することもできる。
【００３１】
そして、自己診断走行を実施した制御装置１０は、自己診断走行が正常に完了した場合には、正常完了信号を情報収集装置４０に対して返信する。一方、自己診断走行を実施した制御装置１０は、例えば、火災による熱の影響で走行路が損傷しているなどの理由で、自己診断走行が正常に完了しない場合には、異常完了信号を情報収集装置４０に対して返信する。さらに、この診断結果は、情報収集装置４０からエレベーター遠隔監視サーバ１００に転送される。
【００３２】
（機能２）避難誘導時の走行制御機能
オペレータは、エレベーター遠隔監視サーバ１００上に表示された自己診断結果から、自己診断走行が正常に完了したと判断した場合には、救出階と避難階の情報を含む避難走行指令を入力する。オペレータによる入力操作をされたエレベーター遠隔監視サーバ１００は、当該避難走行指令を情報収集装置４０に対して出力する。情報収集装置４０は、受信した避難走行指令を制御装置１０に転送する。
【００３３】
避難走行指令の転送を受けた制御装置１０は、かご２０を救出階に向けて直通運転し、戸開することで、避難者をかご２０内に誘導する。さらに、制御装置１０は、戸閉後のかご２０を避難階に向けて直通運転し、戸開することで避難者を避難階まで搬送する。
【００３４】
一方、オペレータは、エレベーター遠隔監視サーバ１００上に表示された自己診断結果から、自己診断走行が正常に完了しなかったと判断した場合には、救出階と避難階との間の避難走行を実施することができないと判断し、避難走行指令を入力しないこととなる。
【００３５】
なお、自己診断結果として、一部の範囲での走行が不可能であっても、部分的に走行可能な階床範囲に関する情報が含まれている場合には、オペレータは、走行可能な階床範囲の中から救出階と避難階を設定して、避難走行指令を生成することもできる。
【００３６】
なお、制御装置１０は、機能２による避難走行を実施中においても、機能１による自己診断を実施することができる。そして、この自己診断結果は、情報収集装置４０を介してエレベーター遠隔監視サーバ１００に転送される。従って、オペレータは、エレベーター遠隔監視サーバ１００が受信した最新の走行時における自己診断結果に基づいて、その後の避難走行の可否を判断することができる。
【００３７】
また、制御装置１０は、自己診断走行を定期的に行うこともできる。例えば、制御装置１０は、稼働率が低い夜間等において定期的に自己診断走行を行っておくことで、正常時の走行データを蓄積できる。そして、災害発生時における自己診断結果を正常時の走行データと比較することで、診断精度を向上させることができる。
【００３８】
（機能３）利用者への情報伝達機能
先の図１に示したように、かご２０は、表示装置２１と報知装置２２を備えて構成することができる。同様に、乗場３０も、表示装置３１と報知装置３２を備えて構成することができる。このような構成を備える場合には、制御装置１０は、エレベーターを避難誘導に活用している際のエレベーターの使用状況を、利用者に対して、適宜、伝えることができる。
【００３９】
具体的には、制御装置１０は、利用者に対して、自己診断結果、救助階、避難階などの情報を、使用状況として知らせることができる。
【００４０】
（機能４）避難走行範囲の限定機能
オプション構成として、防災センター６０が建物内に設けられている場合には、情報収集装置４０およびエレベーター遠隔監視サーバ１００は、防災センター６０から、建物内の火災発生状況に関する情報を収集することができる。
【００４１】
また、オプション構成として、防災情報送信装置１１０がネットワーク２００に接続されている場合には、情報収集装置４０およびエレベーター遠隔監視サーバ１００は、防災情報送信装置１１０から、建物内の火災発生状況に関する情報を収集することができる。
【００４２】
このような火災発生状況に関する情報としては、例えば、建物が１０階建として、８階で火災が発生し、すでに、８階から１０階に設置された煙感知器７０が動作しているといった情報が挙げられる。
【００４３】
なお、ここでの煙感知器７０は、走行診断装置５０に含まれる煙感知器ではなく、通常の建物に設置されているものを意味している。また、このような煙感知器７０による火災発生状況に関する情報は、図１に示したルートとは異なる別経路で遠隔監視サーバ１００に送信され、遠隔監視サーバ１００から情報収集装置４０に転送される形態とすることができる。また、煙感知器７０による火災発生状況に関する情報を、情報収集装置４０が直接取り込む形態を採用することも可能である。
【００４４】
なお、上述した「別経路」としては、別のシステムからの信号受信の経路、あるいは電話などによる情報提供の経路が挙げられる。
【００４５】
このような情報を取得した情報収集装置４０およびエレベーター遠隔監視サーバ１００は、救出階として８〜１０階が設定されると、かご内あるいは昇降路内に煙が侵入してくるおそれが高いと判断し、避難走行範囲を１〜７階の範囲に限定することができる。
【００４６】
さらに、オプション構成として、走行診断装置５０が昇降路内に設けられている場合には、情報収集装置４０およびエレベーター遠隔監視サーバ１００は、走行診断装置５０から、昇降路内の走行診断に関する情報を収集することができる。例えば、走行診断装置５０として、昇降路内の各階に煙感知器が設けられている場合には、情報収集装置４０およびエレベーター遠隔監視サーバ１００は、制御装置１０を介して煙感知器による感知結果を取得することができる。
【００４７】
また、例えば、走行診断装置５０として、かご２０の外側に煙感知器が設けられている場合には、制御装置１０がかご４を走行させることにより、情報収集装置４０およびエレベーター遠隔監視サーバ１００は、制御装置１０を介して煙感知器による感知結果を取得することができる。
【００４８】
このような感知情報としては、例えば、建物が１０階建として、８〜１０階で煙感知器が動作しているといった情報が挙げられる。このような情報を取得した情報収集装置４０およびエレベーター遠隔監視サーバ１００は、救出階として８〜１０階が設定されると、かご内に煙が侵入してくるおそれが高いと判断し、避難走行範囲を１〜７階の範囲に限定することができる。
【００４９】
なお、走行診断装置５０の設置場所は、昇降路内に限定されず、例えば、各階床の乗場３０に、走行診断装置５０としての煙感知器を設置することなども考えられる。
【００５０】
建物内の火災発生状況に関する情報を防災センター６０あるいは消防情報送信装置１１０から取得する場合、あるいは、走行診断結果を走行診断装置５０から取得する場合、オペレータは、取得した情報に応じて、避難走行範囲を限定することができる。
【００５１】
オペレータは、エレベーター遠隔監視サーバ１００が情報収集装置４０を介して防災センター６０から取得した情報に応じて、避難走行範囲を限定する判断を行う。あるいは、エレベーター遠隔監視サーバ１００が消防情報送信装置１１０から取得した情報に応じて、避難走行範囲を限定する判断を行う。これにより、情報センター内のオペレータは、ネットワーク２００経由で取得した走行範囲選定情報に基づいて、救助階や避難階の適切な設定を行うことができる。
【００５２】
次に、エレベーターを活用した避難支援方法の一連処理について説明する。図２は、本発明の実施の形態１におけるエレベーター遠隔監視システムにおいて実行される一連の避難支援処理に関するフローチャートである。
【００５３】
まず始めに、ステップＳ２０１において、制御装置１０は、災害が発生しているか否かを判断する。そして、災害が発生していると判断した場合には、ステップＳ２０２に進み、制御装置１０は、管制運転を実行する。なお、これらステップＳ２０１、Ｓ２０２の動作は、従来技術における管制運転と同じである。
【００５４】
次に、ステップＳ２０３において、エレベーター遠隔監視サーバ１００は、自己診断実施指令を出力する。ここで、遠隔地にいるオペレータは、情報収集装置４０から出力され、エレベーター遠隔監視サーバ１００で受信した情報、および、煙感知器７０等の、通常、建物に設置されているセンサーから情報収集装置４０を介さない、別経路から受信した情報をエレベーター遠隔監視サーバ１００上で確認する。
【００５５】
そして、オペレータは、収集した情報から、エレベーターを活用した避難誘導が必要と判断した場合には、無人の状態で実際にかご２０を走行させるために、自己診断実施指令をエレベーター遠隔監視サーバ１００に入力する。この結果、エレベーター遠隔監視サーバ１００から情報収集装置４０に対して、自己診断実施指令が送信されることとなる。
【００５６】
次に、自己診断実施指令を受信したエレベーター制御装置は、自己診断運転を実行する。ここで、図３に基づいて、自己診断運転について説明する。図３は、本発明の実施の形態１におけるエレベーター制御装置で実行される一連の自己診断処理に関するフローチャートである。
【００５７】
ステップＳ３０１において、エレベーター遠隔監視サーバ１００から自己診断実施指令を受信した情報収集装置４０は、制御装置１０に対して、診断走行指令を出力する。次に、ステップＳ３０２において、制御装置１０は、診断走行指令に基づいて自己診断走行を実施し、診断結果を情報収集装置４０に返信する。さらに、ステップＳ３０３において、情報収集装置４０は、診断結果をエレベーター遠隔監視サーバ１００に送信する。
【００５８】
図２の説明に戻る。
次に、ステップＳ２０４において、情報収集装置４０は、制御装置１０から正常完了信号を受信したか否かを判断する。そして、情報収集装置４０は、正常完了信号を受信せず異常完了信号を受信した場合には、エレベーター遠隔監視サーバ１００に対して異常完了信号および診断結果を送信し、一連処理は、終了する。
【００５９】
一方、情報収集装置４０が正常完了信号を受信した場合には、ステップＳ２０５に進む。そして、ステップＳ２０５において、情報収集装置４０は、エレベーター遠隔監視サーバ１００に対して、正常完了信号および診断結果を送信し、その返答として、エレベーター遠隔監視サーバ１００から避難走行指令を受信したか否かを判断する。
【００６０】
ここで、エレベーター遠隔監視サーバ１００が、情報収集装置４０から正常完了信号および診断結果を受信した場合には、オペレータは、その診断結果に基づき、エレベーターを活用した避難誘導を行うべきであるか否かを判断する。オペレータがエレベーターを活用した避難誘導を行うべきであると判断した場合には、救出階と避難階を特定した避難走行指令を作成し、エレベーター遠隔監視サーバ１００に入力する。この結果、オペレータの判断に基づいて作成された、救出階と避難階が特定された避難走行指令が、エレベーター遠隔監視サーバ１００から情報収集装置４０に対して返信されることとなる。
【００６１】
なお、オペレータは、避難走行指令を作成する際に、救出階と避難階により特定される避難ルートを、優先順位とともに複数設定することも可能である。例えば、建物が１０階建として、８階で火災が発生し、避難階が１階であり、自己診断結果から９階、１０階にもエレベーターが走行可能であると判断できる場合には、オペレータは、優先順位１として救出階を９階、避難階を１階と設定し、優先順位２として救出階を１０階、避難階を１階と設定し、複数の避難ルートを含む形で、避難走行指令を作成することができる。
【００６２】
次に、ステップＳ２０６において、情報収集装置４０は、エレベーター遠隔監視サーバ１００から受信した避難走行指令を制御装置１０に転送する。そして、ステップＳ２０７において、制御装置１０は、受信した避難走行指令に基づいて、避難走行を実行する。
【００６３】
上述したように、避難走行指令に優先順位１と優先順位２の２つの避難ルートが含まれている場合には、制御装置は、まず始めに優先順位１で設定された避難ルートによる避難走行を実施することとなる。
【００６４】
次に、ステップＳ２０８において、制御装置１０は、避難走行を実施中においても、自己診断を実施することができる。そして、制御装置１０は、ステップＳ２０９において、現在行っている避難走行が完了したか否かを判定する。
【００６５】
ステップＳ２０８、Ｓ２０９により、避難走行実行中の自己診断が正常に完了しなかった場合には、ステップＳ２１０に進み、制御装置１０は、戸閉停止または最寄階停止を実行後、一連処理を終了する。
【００６６】
なお、ステップＳ２１０における戸閉停止、または最寄階停止の判断基準を補足説明すると、以下のようになる。制御装置１０は、最寄階が戸開可能であれば、戸開し、別のエレベーターで再度避難運転を実施することとなる。なお、戸開可能か否かの判断は、物理的に戸開動作ができるかできないかだけではなく、最寄階に煙が充満しているなどといった情報に基づいて行うこともできる。
【００６７】
ステップＳ２０９で、避難走行が完了したと判断した場合には、ステップＳ２１１に進み、制御装置１０は、避難走行中に行った自己診断結果が正常であったか否かを判定する。そして、自己診断が正常に完了しなかったと判定した場合には、制御装置１０は、異常完了信号および診断結果を情報収集装置４０に送信し、一連処理を終了する。なお、情報収集装置４０は、制御装置１０から受信した異常完了信号および自己診断結果を、エレベーター遠隔監視サーバ１００に転送することができる。
【００６８】
一方、ステップＳ２１１において、自己診断が正常に完了した場合には、ステップＳ２１２に進み、制御装置１０は、全ての避難走行が完了したか否かを判定する。そして、避難走行指令に含まれている全ての避難ルートの避難走行が完了するまで、ステップＳ２０６〜ステップＳ２１２の処理を繰り返すこととなる。
【００６９】
従って、避難走行指令に優先順位１と優先順位２の２つの避難ルートが含まれている場合には、優先順位１の後に優先順位２の避難走行を実施し、全ての処理を完了することとなる。
【００７０】
なお、図２のフローチャートでは、上述した機能３、機能４の処理は、省略している。また、図２のフローチャートでは、詳述していないが、管制運転中、自己診断走行中、避難走行中のエレベーターの状況は、制御装置１０→情報収集装置４０→エレベーター遠隔監視サーバ１００のルートで転送することにより、オペレータが遠隔監視することができる。
【００７１】
従って、例えば、かご２０内に乗客が閉じ込められた状態などが発生した場合にも、オペレータから保守員、消防士、あるいは建物の管理者などに情報連絡することができ、迅速な救助作業を実現できる。
【００７２】
また、本システムで避難走行機能を実行中に情報収集装置４０と遠隔監視サーバ１００との通信が途絶えてしまった場合、あるいはかご２０が走行不能などに陥った場合には、直ちに避難走行機能の実行を一時停止状態とし、オペレータは、通信断の直前の状態を消防に通知する。なお、情報収集装置４０と遠隔監視サーバ１００との通信が復帰した場合には、一時停止状態となっていた避難走行機能の実行を再開する。
【００７３】
なお、図１に示した情報収集装置４０、およびエレベーター遠隔監視サーバ１００のハードウェア構成について、図４、図５を用いて補足説明する。図４は、本発明の実施の形態１における情報収集装置４０におけるハードウェア構成を示す図である。情報収集装置４０は、インタフェース４０ａ、プロセッサ４０ｂ、およびメモリ４０ｃで構成されている。
【００７４】
図１に示したように、情報収集装置４０は、ネットワーク２００を介した相互通信を行う第１送受信部４１と、エレベーター遠隔監視サーバ１００に対してエレベーター状態情報を送信するとともに、エレベーター遠隔監視サーバ１００から受信した指令を制御装置１０に転送することで、自己診断機能および避難走行機能を実施させる第１避難誘導制御部４２を有している。
【００７５】
そして、情報収集装置４０は、通信機能を実行するに当たっては、図４におけるインタフェース４０ａを介して、プロセッサ４０ｂにより実行する。また、情報収集装置４０は、自己診断機能および避難走行機能に関する演算・制御処理を実行するに当たっては、図４におけるメモリ４０ｃに記憶されたデータやプログラムに基づいて、プロセッサ４０ｂにより実行する。
【００７６】
図５は、本発明の実施の形態１におけるエレベーター遠隔監視サーバ１００におけるハードウェア構成を示す図である。エレベーター遠隔監視サーバ１００は、インタフェース１００ａ、プロセッサ１００ｂ、およびメモリ１００ｃで構成されている。
【００７７】
図１に示したように、エレベーター遠隔監視サーバ１００は、ネットワーク２００を介した相互通信を行う第２送受信部と、第２送受信部１０１を介して、情報収集装置４０からエレベーター状態情報を受信するとともに、受信結果に応じたオペレータの操作入力により、自己診断機能および避難走行機能を実施させる指令を生成し、情報収集装置４０に対してそれらの指令を送信する第２避難誘導制御部１０２を有している。
【００７８】
そして、エレベーター遠隔監視サーバ１００は、通信機能、およびオペレータからの操作入力処理を実行するに当たっては、図５におけるインタフェース１００ａを介して、プロセッサ１００ｂを用いて実行する。また、エレベーター遠隔監視サーバ１００は、自己診断機能および避難走行機能を実行する指令を生成するに当たっては、図５におけるメモリ１００ｃに記憶されたデータやプログラムに基づいて、プロセッサ１００ｂを用いて実行する。
【００７９】
以上のように、実施の形態１によれば、災害発生時の管制運転を実施した後に、エレベーターを休止させた状態を継続させることなく、遠隔地にいるオペレータの判断に基づいて、エレベーターを活用した避難誘導を行うことができる。この結果、より迅速に建物からの避難を完了させることが可能となる。
【００８０】
さらに、遠隔から制御・誘導を行う構成であるため、災害が発生した建物内に誘導員がいない状況においても、エレベーターを利用した適切な避難誘導を行うことができる。
【００８１】
また、遠隔地にいるオペレータは、情報収集装置が収集した情報をモニタリングすることで、災害発生時のエレベーターの使用状況をオンラインで確認することができる。従って、万一、避難中に閉じ込めなどの状況が起きてしまった場合にも、保守員や消防士に情報を展開することが可能である。
【図１】
2017145319.tif 000003
【図２】
2017145319.tif 000004
【図３】
2017145319.tif 000005
【図４】
2017145319.tif 000006
【図５】
2017145319.tif 000007
【手続補正書】
【提出日】平成30年3月14日(2018.3.14)
【手続補正１】
【補正対象書類名】明細書
【補正対象項目名】００１０
【補正方法】変更
【補正の内容】
【００１０】
本発明に係るエレベーター制御装置は、災害発生時において、エレベーターかごを実際に走行させることで走行可能か否かを判断する自己診断機能を実現するために、エレベーターの運行制御を行う制御装置に接続された情報収集装置を備えるエレベーター制御装置であって、情報収集装置は、ネットワークに接続される第１送受信部と、第１送受信部にエレベーター状態情報を送信させるとともに、第１送受信部が受信した指令を制御装置に転送することで、自己診断機能を実施させる第１避難誘導制御部とを備え、第１避難誘導制御部は、第１送受信部が指令として自己診断機能を実施するための診断走行指令を受信した場合には、診断走行指令を制御装置に転送することで自己診断機能を実施させ、制御装置から受信した自己診断機能の実施結果をエレベーター状態情報として第１送受信部に送信させ、第１避難誘導制御部は、第１送受信部が災害発生後に管制運転が完了した情報をエレベーター状態情報として送信した後に、診断走行指令を受信した場合には、診断走行指令を制御装置に転送し、情報収集装置は、自己診断機能に加えて、自己診断結果に基づいて救出階にいる避難者を避難階まで搬送することでエレベーターを利用した避難誘導を行う避難走行機能を実現するために制御装置に接続されており、第１避難誘導制御部は、第１送受信部が指令として避難走行機能を実施するための避難走行指令を受信した場合には、避難走行指令を制御装置に転送することで避難走行機能を実施させるものである。
【手続補正２】
【補正対象書類名】明細書
【補正対象項目名】００１２
【補正方法】変更
【補正の内容】
【００１２】
また、本発明に係る避難支援システムは、災害発生時において、エレベーターかごを実際に走行させることで走行可能か否かを判断する自己診断機能を実現するために、ネットワークを介して接続されたエレベーター制御装置とエレベーター遠隔監視サーバとを備えて構成される避難支援システムであって、エレベーター遠隔監視サーバは、災害発生後に、自己診断機能を実施するための診断走行指令をエレベーター制御装置に送信し、エレベーター制御装置は、診断走行指令を受信した場合には、自己診断機能を実施し、自己診断機能の実施結果をエレベーター状態情報としてエレベーター遠隔監視サーバに返信し、エレベーター遠隔監視サーバは、管制運転が完了した情報を受信した後に、診断走行指令を生成し、エレベーター制御装置から受信した自己診断機能の実施結果に基づいて、救出階にいる避難者を避難階まで搬送することでエレベーターを利用した避難誘導を行う避難走行機能を実現するために、救出階と避難階の情報を含む避難走行指令をエレベーター制御装置に送信するものである。
【手続補正３】
【補正対象書類名】特許請求の範囲
【補正対象項目名】全文
【補正方法】変更
【補正の内容】
【特許請求の範囲】
【請求項１】
災害発生時において、エレベーターかごを実際に走行させることで走行可能か否かを判断する自己診断機能を実現するために、エレベーターの運行制御を行う制御装置に接続された情報収集装置を備えるエレベーター制御装置であって、
前記情報収集装置は、
ネットワークに接続される第１送受信部と、
前記第１送受信部にエレベーター状態情報を送信させるとともに、前記第１送受信部が受信した指令を前記制御装置に転送することで、前記自己診断機能を実施させる第１避難誘導制御部と
を備え、
前記第１避難誘導制御部は、
前記第１送受信部が前記指令として前記自己診断機能を実施するための診断走行指令を受信した場合には、前記診断走行指令を前記制御装置に転送することで前記自己診断機能を実施させ、
前記制御装置から受信した前記自己診断機能の実施結果を前記エレベーター状態情報として前記第１送受信部に送信させ、
前記第１避難誘導制御部は、前記第１送受信部が災害発生後に管制運転が完了した情報を前記エレベーター状態情報として送信した後に、前記診断走行指令を受信した場合には、前記診断走行指令を前記制御装置に転送し、
前記情報収集装置は、前記自己診断機能に加えて、自己診断結果に基づいて救出階にいる避難者を避難階まで搬送することでエレベーターを利用した避難誘導を行う避難走行機能を実現するために前記制御装置に接続されており、
前記第１避難誘導制御部は、前記第１送受信部が前記指令として前記避難走行機能を実施するための避難走行指令を受信した場合には、前記避難走行指令を前記制御装置に転送することで前記避難走行機能を実施させる
エレベーター制御装置。
【請求項２】
前記第１避難誘導制御部は、前記避難走行指令を前記制御装置に転送することで前記避難走行機能を実施させるとともに、避難走行中に自己診断機能を実施させ、
前記制御装置から受信した前記自己診断機能の実施結果を前記エレベーター状態情報として前記第１送受信部に送信させる
請求項１に記載のエレベーター制御装置。
【請求項３】
前記避難走行指令は、前記救出階と前記避難階の情報を含む請求項１または２に記載のエレベーター制御装置。
【請求項４】
前記エレベーター制御装置は、前記エレベーターが設置された環境における災害発生状況に関する情報を提供する情報提供装置をさらに備え、
第１避難誘導制御部は、前記情報提供装置から提供された情報を、前記エレベーター状態情報として前記第１送受信部に送信させる
請求項１から３のいずれか１項に記載のエレベーター制御装置。
【請求項５】
エレベーター制御装置とネットワークを介して接続されており、災害発生時において、エレベーターかごを実際に走行させることで走行可能か否かを判断する自己診断機能と、自己診断結果に基づいて救出階にいる避難者を避難階まで搬送することでエレベーターを利用した避難誘導を行う避難走行機能とを実現するために、前記エレベーター制御装置を遠隔制御するエレベーター遠隔監視サーバであって、
前記エレベーター遠隔監視サーバは、
前記エレベーター制御装置とネットワークを介して接続され、相互通信を行う第２送受信部と、
前記第２送受信部を介して、前記エレベーター制御装置からエレベーター状態情報を受信するとともに、受信結果に応じて前記自己診断機能および前記避難走行機能を実施させる指令を生成し、前記エレベーター制御装置に対して前記指令を送信する第２避難誘導制御部と
を備えるエレベーター遠隔監視サーバ。
【請求項６】
前記避難走行機能を実施させる指令は、前記第２避難誘導制御部への入力操作により生成される
請求項５に記載のエレベーター遠隔監視サーバ。
【請求項７】
前記第２避難誘導制御部は、前記第２送受信部が災害発生後に管制運転が完了した情報を前記エレベーター状態情報として前記エレベーター制御装置から受信した後に、前記第２送受信部に前記自己診断機能を実施させる指令を送信させる
請求項５または６に記載のエレベーター遠隔監視サーバ。
【請求項８】
災害発生時において、エレベーターかごを実際に走行させることで走行可能か否かを判断する自己診断機能を実現するために、ネットワークを介して接続されたエレベーター制御装置とエレベーター遠隔監視サーバとを備えて構成される避難支援システムであって、
前記エレベーター遠隔監視サーバは、災害発生後に、前記自己診断機能を実施するための診断走行指令を前記エレベーター制御装置に送信し、
前記エレベーター制御装置は、前記診断走行指令を受信した場合には、前記自己診断機能を実施し、前記自己診断機能の実施結果をエレベーター状態情報として前記エレベーター遠隔監視サーバに返信し、
前記エレベーター遠隔監視サーバは、
管制運転が完了した情報を受信した後に、前記診断走行指令を生成し、
前記エレベーター制御装置から受信した前記自己診断機能の実施結果に基づいて、救出階にいる避難者を避難階まで搬送することでエレベーターを利用した避難誘導を行う避難走行機能を実現するために、前記救出階と前記避難階の情報を含む避難走行指令を前記エレベーター制御装置に送信する
避難支援システム。
【請求項９】
前記避難走行機能を実施させる指令は、前記エレベーター遠隔監視サーバへの入力操作により生成される
請求項８に記載の避難支援システム。
【請求項１０】
前記エレベーター制御装置は、前記避難走行指令を受信した場合には、前記避難走行機能を実行する
請求項８または９に記載の避難支援システム。
【請求項１１】
前記エレベーター制御装置は、前記避難走行指令に基づいて前記避難走行機能を実行中に、前記エレベーター遠隔監視サーバと前記エレベーター制御装置との通信が途絶えてしまった場合には、前記避難走行機能の実行を一時停止状態とする
請求項８から１０のいずれか１項に記載の避難支援システム。
【請求項１２】
前記エレベーター制御装置は、前記一時停止状態の後に、前記エレベーター遠隔監視サーバと前記エレベーター制御装置との通信が復帰した場合には、前記避難走行機能の実行を再開する
請求項１１に記載の避難支援システム。
【請求項１３】
災害発生時において、エレベーターかごを実際に走行させることで走行可能か否かを判断する自己診断機能と、自己診断結果に基づいて救出階にいる避難者を避難階まで搬送することでエレベーターを利用した避難誘導を行う避難走行機能とを実現するために、ネットワークを介して接続されたエレベーター制御装置とエレベーター遠隔監視サーバとで実行される、エレベーターを活用した避難支援方法であって、
前記エレベーター制御装置において、災害発生後に管制運転が完了した情報をエレベーター状態情報として前記エレベーター遠隔監視サーバに送信する第１ステップと、
前記エレベーター遠隔監視サーバにおいて、前記第１ステップによる前記エレベーター状態情報を前記エレベーター制御装置から受信した場合には、入力操作に基づいて生成される、前記自己診断機能を実施するための診断走行指令を前記エレベーター制御装置に対して返信する第２ステップと、
前記エレベーター制御装置において、前記第２ステップによる前記診断走行指令を前記エレベーター遠隔監視サーバから受信した場合には、エレベーターかごを実際に走行させることで走行可能か否かを判断するための自己診断走行を実施し、自己診断結果を前記エレベーター遠隔監視サーバに返送する第３ステップと、
前記エレベーター遠隔監視サーバにおいて、前記第３ステップによる前記自己診断結果を受信した場合には、前記避難走行機能を実施するために入力操作に基づいて生成される避難走行指令を前記エレベーター制御装置に対して返信する第４ステップと、
前記エレベーター制御装置において、前記第４ステップによる避難走行指令を前記エレベーター遠隔監視サーバから受信した場合には、前記救出階と前記避難階との間でエレベーターかごを走行させて避難誘導を行うことで、前記避難走行機能を実施する第５ステップと
を有するエレベーターを活用した避難支援方法。
【国際調査報告】
2017145319.tif 000008
2017145319.tif 000009
2017145319.tif 000010
2017145319.tif 000011